(57)【特許請求の範囲】
【請求項１】
自己の制御用チャネルに対して待ち受けをしている移動機からの通信要求を周辺に設置されている各基地局に振り分ける手段と、これら基地局のトラフィック状態に応じてトラフィックが平均化するように上記振り分ける基地局を選択する手段とを備えたことを特徴とする無線通信装置。
【請求項２】
各基地局の制御用チャネルに対して待ち受けをしている移動機から当該基地局に対する通信要求に対応して当該基地局から移動機に送信する通信要求の受け付けを示す信号及び受け付け拒否を示す信号をモニタすることにより各基地局のトラフィック状態を判断することを特徴とする請求項１記載の無線通信装置。
【請求項３】
各基地局に対して疑似的に通信要求の信号を一定時間毎に送信し、該通信要求に対して各基地局から送信される通信要求の受け付けを示す信号及び受け付け拒否を示す信号によって各基地局のトラフィック状態を監視することを特徴とする請求項１記載の無線通信装置。
【請求項４】
自己の制御用チャネルに対して待ち受けしている移動機からの通信要求があると、該通信要求に対応して各基地局に通信要求を送信し、該通信要求に対して各基地局から送信される通信要求の受け付けを示す信号及び受け付けを拒否する信号によって各基地局のトラフィック状態を判断することを特徴とする請求項１記載の無線通信装置。
【請求項５】
各基地局から制御用チャネルの信号でトラフィック状態を示すデータを送信させ、該データを受信することにより各基地局のトラフィック状態を判断することを特徴とする請求項１記載の無線通信装置。
【請求項６】
各基地局と移動機との通信用チャネルを使用した通信中の状態をモニタし、該モニタ結果に基づいて各基地局のトラフィック状態を判断することを特徴とする請求項１記載の無線通信装置。
【発明の詳細な説明】
【０００１】
【発明の属する技術分野】
本発明は、ＰＨＳ（ＰＥＲＳＯＮＡＬ  ＨＡＮＤＹ  ＰＨＯＮＥ  ＳＹＳＴＥＭ）等の無線通信システムに用いる無線通信装置に関するものである。
【０００２】
【従来の技術】
無線システムの一種であるＰＨＳには、中継機能を持つ無線通信装置として、公衆−自営変換装置が存在する。
この公衆−自営変換装置は公衆チャネルの電波が窓際までは届くが、住戸内の窓から離れた所までは十分に届かないような環境において設置されるものである。つまり図１４に示すように住戸Ｈの屋内で例えば窓際に設置された公衆−自営変換装置１は回線網Ｎに接続された公衆基地局２からの公衆チャネルの電波を受信し、この公衆チャネルの電波を自営チャネルの電波に変換して屋内に存在する移動機（携帯電話機）３に対して送り、また移動機３からの自営チャネルの電波を公衆チャネルの電波に変換して住戸Ｈ外の公衆基地局２へ送り、屋内の移動機３と、公衆基地局２との間の通信を可能とするものである。
【０００３】
【発明が解決しようとする課題】
ところで、上記の公衆−自営変換装置１では、公衆−自営のチャネル変換や自営モードとして移動機３を動作せるための公衆−自営変換装置１と移動機３間の登録が必要である上に、通信エリアの拡大を目的とするのみで、公衆−自営変換装置１と接続する公衆基地局２がフルトラフィックで動作している場合は発着呼ができないという問題があった。
【０００４】
本発明は、上記の点に鑑みて為されたもので、チャネルや特別な登録が不要でなお且つ複数の基地局によって通信エリアの拡大を図りつつ、基地局のトラフィックが大きくなっても移動機の発着呼を確実にする無線通信装置を提供するにある。
【０００５】
【課題を解決するための手段】
上記目的を達成するために請求項１の発明では、自己の制御用チャネルに対して待ち受けをしている移動機からの通信要求を周辺に設置されている各基地局に振り分ける手段と、これら基地局のトラフィック状態に応じてトラフィックが平均化するように上記振り分ける基地局を選択する手段とを備えたことを特徴とし、自己の制御用チャネルに対して待ち受けをしている移動機の基地局に対する通信が拒否される確率を下げることができるとともに、周辺の基地局のトラフィックを平均化することにより、基地局群の通話エリアのトラフィックの効率化、最適化が図れる。
【０００６】
請求項２の発明では、請求項１の発明において、各基地局の制御用チャネルに対して待ち受けをしている移動機から当該基地局に対する通信要求に対応して当該基地局から移動機に送信する通信要求の受け付けを示す信号及び受け付け拒否を示す信号をモニタすることにより各基地局のトラフィック状態を判断することを特徴とし、周辺の基地局のトラフィック状態を判断するのに各基地局の制御用チャネルをモニタするだけで良く、そのためハードウェアの構成が簡単で、また基地局に無効な通信要求を与えない。
【０００７】
請求項３の発明では、請求項１の発明において、各基地局に対して疑似的に通信要求の信号を一定時間毎に送信し、該通信要求に対して各基地局から送信される通信要求の受け付けを示す信号及び受け付け拒否を示す信号によって各基地局のトラフィック状態を監視することを特徴とし、請求項２の発明に比べてトラフィック状態の判断を精度良くすることができる。
【０００８】
請求項４の発明では、請求項１の発明において、自己の制御用チャネルに対して待ち受けしている移動機からの通信要求があると、該通信要求に対応して各基地局に通信要求を送信し、該通信要求に対して各基地局から送信される通信要求の受け付けを示す信号及び受け付けを拒否する信号によって各基地局のトラフィック状態を判断することを特徴とし、トラフィック状態の判断をより精度良くすることができる。
【０００９】
請求項５の発明では、請求項１の発明において、各基地局から制御用チャネルでトラフィック状態を示すデータを送信させ、該データを受信することにより各基地局のトラフィック状態を判断することを特徴とし、周辺の基地局のトラフィック状態の判断をするのに、各基地局の制御用チャネルのモニタを監視するだけで良く、しかもデータを基地局から送らせるため得られるトラフィックの情報の精度が高い。
【００１０】
請求項６の発明では、請求項１の発明において、各基地局と移動機との通信用チャネルを使用した通信中の状態をモニタし、該モニタ結果に基づいて各基地局のトラフィック状態を判断することを特徴とし、通信用チャネルをリアルタイムな状態でモニタすることにより各基地局のトラフィック状態の判断がより一層精度良く行える。
【００１１】
【発明の実施の形態】
以下、本発明を実施形態により説明する。
（実施形態１）
図１は、ＰＨＳに用いる本実施形態の無線通信装置４（尚後述する実施形態２，３にも対応）の構成を示しており、公衆（或いは自営）基地局との間で送受信を行うためのアンテナ１０ａと、該アンテナ１０ａを通じて電波による通信データの送受信を行うモデムを含む無線回路ブロック１１ａ及び無線回路ブロック１１ａを時分割多重によってアクセス制御する無線回路制御ブロック１２ａからなる対基地局用無線通信部１３ａと、移動機との間で送受信を行うためのアンテナ１０ｂと、該アンテナ１０ｂを通じて電波による通信データの送受信を行うモデムを含む無線回路ブロック１１ｂ及び無線回路ブロック１１ｂを時分割多重によってアクセス制御する無線回路制御ブロック１２ｂからなる対移動機用無線通信部１３ｂと、後述するシーケンス中の通信中おける通信データを無線通信部１３ａと無線通信部１３ｂとの間でスイッチングして授受させるためのメモリタイムスイッチング部１４と、後述するトラフィック状態を格納するためのＲＡＭからなるメモリ１５と、メモリ１５に対する読み書き、メモリ１５に格納されているトラフィック状態に基づく無線回路制御ブロック１２ａ，１２ｂを通じた無線回路ブロック１１ａ，１１ｂの制御及びメモリタイムスイッチング部１４の制御を行うためのＣＰＵ１６  とから構成される。
【００１２】
尚図中２１  …は公衆若しくは自営の基地局を、３０  及び３１  …は移動機（ＰＨＳ用携帯電話機）を示す。
無線通信装置４の周辺の公衆或いは自営の基地局２１  …は同一の周波数において制御用チャネルＣＣＨの信号が送信されるが、その送信フォーマットは図２に示すように一定時間間隔（図示例では１００ｍｓｅｃ）で一定時間幅のスロット（５ｍｓｅｃ幅）が設定され、更にそのスロットの中を０．６２５ｍｓｅｃ幅のスロットを設け、該スロットが各基地局２１  …の制御用チャネルＣＣＨの報知情報等のデータの信号を送信する送信スロットを構成し、無線通信装置４の一つの無線回路ブロック１１ａでは最大２０（Ｎ＝２０）の基地局の制御用チャネルＣＣＨの信号を受信することができるようになっている。
【００１３】
ここで、本実施形態の無線通信装置４は無線通信部１３ａにより図３に示すように周辺の基地局２１  …の制御用チャネルＣＣＨで送られる報知情報ＢＣＣＨを受信し、基地局２１  …の制御用チャネルＣＣＨによって待ち受け状態にある移動機３１  …から発呼によって対応する基地局２１  …に対して通信要求（リンクチャネル確立要求ＳＣＣＨ）を示すコマンド信号を送った際に、当該基地局２１  …から通信要求ＳＣＣＨに対する受け付け（リンクチャネル割り当てＳＣＣＨ）を示すコマンド信号を移動機３１  …に送信したか或いは通信用スロット（通信用トラフィック）が全部塞がっていて受け付け拒否（リンクチャネル割り当て拒否ＳＣＣＨ）を示すコマンド信号を送信したかをＣＰＵ１６が無線通信部１３ａの受信データからモニタし、そのモニタ内容に基づいてメモリ１５に格納している当該基地局のトラフィックテーブルを更新するのである。ここで図３に基づいて具体的に説明すると、基地局２１  に対して待ち受け状態にある移動機３１  が発呼し、リンクチャネル確立要求ＳＣＣＨのコマンド信号が基地局２１  に送られてくると、基地局２１  は、通信用スロットが全部塞がっていなければ、リンクチャネル割り当てＳＣＣＨのコマンド信号を移動機２１  に送る。このリンクチャネル割り当てＳＣＣＨのコマンド信号は無線通信装置４でモニタされており、無線通信装置４はＣＰＵ１６によりモニタ内容に基づいてメモリ１５に格納されているトラフィックテーブルを更新する。ここでトラフィックテーブルは図４に示すように基地局番号（例えば２１  は１、２２  は２というようにモニタ可能なＮ個（２０個）分の基地局番号に対応してそれぞれの基地局２１  …のＩＤを記入する欄と、リンクチャネル割り当て、或いはリンクチャネル割り当て拒否のメッセージを書き込む欄及び当該メッセージの受信時刻を記入する欄とが設けられており、各基地局２１  …から通信要求を出した移動機３１  …に対してメッセージが送られてくる度に、メッセジの内容とその受信時刻とを書き込み更新するのである。
【００１４】
さて上記の場合、移動機３１  と基地局２１  とでリンクチャネルの割り当てがあったため、ＰＨＳで用いられる発呼シーケンス（サービスチャネル確立フェーズ）を経て、基地局２１  と移動機３１  との間が通信中となる。
また基地局２２  に対する移動機３２  のリンクチャネル確立要求ＳＣＣＨに対しては基地局２２  はリンクチャネル割り当て拒否ＳＣＣＨを送信しているため、無線通信装置４１  では上記トラフィックテーブルの基地局２２  に対応して割り当て拒否のメッセージとその受信時刻を書き込む。
【００１５】
このようにして無線通信装置４は周辺の基地局２１  …のトラフィック状態を監視するのである。
さて無線通信装置４の制御用チャネルＣＣＨに対して待ち受けている移動機３０  から図５に示すように発呼があると、移動機３０  からはリンクチャネル確立要求ＳＣＣＨのコマンド信号が無線通信装置４に送られる。無線通信装置４のＣＰＵ１６は対移動機用無線通信部１３ｂを通じてリンクチャネル確立要求の信号を受け取ると、現在時点から一定時間（ｔ１  ）前迄の間において、割り当て拒否の頻度の低い基地局を図４に示すトラフィックテーブルから検索し、最も低い基地局を選択する。
【００１６】
上記の選択に当たって頻度が最も低い基地局が複数ある場合には、割り当て頻度の最も低い基地局を選択する。また更にその割り当て頻度の低いものが複数ある場合には更に上記一定時間（ｔ１  ）を２倍にした一定時間（ｔ２  ）を設定し、上述の選択操作を繰り返して、基地局を選択するのである。
尚上記説明では、割り当て拒否の頻度による基地局の選択を最初に行っているが、割り当て頻度による選択を割り当て拒否の頻度による基地局の選択よりも先に行っても良い。また時間（ｔ１  ）や（ｔ２  ）をどの位にするかは適宜設定すれば良い。
【００１７】
また更に割り当て拒否の頻度による選択と割り当て頻度による選択とを同時に行ない、両者の頻度の比較に重み付けを行って比較を行うことにより基地局を選択しても良い。
要するに本実施形態では中継する対象となる基地局の選択を、移動機からのリンクチャネルの確立要求に対する基地局からの割り当て、割り当て拒否（或いは両者）の信号の発生頻度に基づいて行い、各基地局２１  …のトラフィックが平均化させるのである。
【００１８】
さて次に中継すべき基地局、例えば２１  が選択されると、図５に示すように無線通信装置４は対移動機用無線通信部１３ｂにより受信したリンクチャネル確立要求の信号をＣＰＵ１６の制御の下で対基地局用無線通信部１３ａにより基地局２１  の制御用チャネルＣＣＨで送信する。
このリンクチャネル確立要求ＳＣＣＨのコマンド信号を受けた基地局２１  では、リンクチャネル割り当てＳＣＣＨのコマンド信号を無線通信装置４に対して送信する。無線通信装置４は対基地局用無線通信部１３ａで受信したリンクチャネル割り当てＳＣＣＨのコマンド信号をＣＰＵ１６の制御の下で対移動機用無線通信部１３ｂへ送り、対移動機用無線通信部１３ｂから移動機３０  との間の制御用チャネルＣＨＨによりリンクチャネル割り当てＳＣＣＨのコマンド信号を移動機３０  に送信する。
【００１９】
このリンクチャネル割り当ての信号を受信した移動機３０  は、無線通信装置４との間の通信用チャネルＴＣＨを用いて同期バーストを送信し、この同期バーストを対移動機用無線通信部１３ｂで受信した無線通信装置４はＣＰＵ１６の制御の下で対基地局用無線通信部１３ａにより基地局２１  へ通信用チャネルＴＣＨで同期バーストを基地局２１  へ送信する。この同期バーストを受信した基地局２１  は無線通信装置４に対して同期バーストを送って無線通信装置４との間の同期を取る。また基地局２１  の同期バーストを受信した無線通信装置４は対基地局用無線通信部１３ａで受信した同期バーストをＣＰＵ１６の制御の下で対移動機用無線通信部１３ｂにより移動機３０  へ送信し、移動機３０  と無線通信装置４の間の同期を取る。
【００２０】
同期が取れると、ＳＡＢＭ（非同期平衡モード設定コマンド）を移動機３０  から無線通信装置４へ送信する。このＳＡＢＭを受信した上述の同期バーストの場合と同様な手順により無線通信装置４は基地局２１  に対してＳＡＢＭを送信する。基地局２１  ではＵＡレスポンスを無線通信装置４へ送信しＳＡＢＭを受け付けたことを無線通信装置４は知らせる。無線通信装置４は上述の同期バーストの場合と同様な手順で移動機３０  へＵＡレスポンスを送信する。
【００２１】
以後ＰＨＳの発呼手順によって、移動機３０  と無線通信装置４との間、無線通信装置４と基地局２１  との間で、呼設定、呼設定受付、定義情報要求、定義情報応答、機能要求、機能要求応答、秘匿鍵設定、認証要求、認証応答、ＤＩＳＣ（マルチフレーム確認方動作モードを収容するための切断コマンド）、ＵＡレンスポンスを図５のシーケンスにより送信、或いは受信して、基地局２１  と無線通信装置４との間、無線通信装置４と移動機３０  の各間でリンクが確立する。これらのコマンド信号は無線通信装置４内ではＣＰＵ１６の制御の下で、両無線通信部１３ａ，１３ｂ間で授受が行われて送受信が為される。
【００２２】
さてリンク確立により基地局２１  から無線通信装置４への呼出の信号の送信と、これに対応した無線通信装置４から移動機３０  への呼出の信号の送信を経て、基地局２１  から無線通信装置４へ、無線通信装置４から移動機３０  へのリングバックトーン（ＲＢＴ）の送信、基地局２１  から無線通信装置４への応答の信号の送信と、これに対応した無線通信装置４から移動機３０  への応答の信号の送信とを経て、移動機３０  と無線通信装置４との間、及び無線通信装置４と基地局３０  との間が夫々通話中となる。
【００２３】
このようにして本実施形態の無線通信装置４は周辺の基地局２１  …のトラフィック状態に応じてトラフィックが平均化するように最適な基地局を選択し、この基地局と、自己の制御用チャネルＣＣＨによって待ち受け状態となっていた移動機３０  との間の中継を行い、通信エリアの拡大とともに、フルトラフィックで動作していない基地局が１台でもあれば移動機３０  の発呼を可能とする。
【００２４】
（実施形態２）
上記実施形態１の無線通信装置４は基地局２１  …と、移動機３１  …との間の制御用チャネルＣＣＨによる通信をモニタしてリンクチャネル確立の割り当て拒否ＳＣＣＨのコマンド信号の送信の有無より、基地局２１  …のトラフィック状態を監視するようにしているが、本実施形態では、無線通信装置４より、トラフィックの監視対象である基地局２１  …に図６に示すように一定時間（ｔ３  ）毎にリンクチャネル確立要求ＳＣＣＨ（以下疑似通信要求と言う）を送出し、その結果である各基地局２１  …から送信されるリンクチャネル割り当てＳＣＣＨ或いは割り当て拒否ＳＣＣＨのコマンド信号により各基地局２１  …のトラフィック状態をＣＰＵ１６で判断するようにしたものであり、ＣＰＵ１６は判断結果をメモリ１５に格納されている図７に示すトラフィックテーブルに図示するように各基地局２１  …毎に書き込む。
【００２５】
尚上記疑似通信要求は、文字通りトラフィック状態を判断するために、疑似的に送信するものであって、リンクチャネル割り当てＳＣＣＨを受信しても、以降の同期バーストは送信せず、基地局２１  …は同期バースト待ち時間のタイムアウト後に前の状態に復旧する。
而して本実施形態の無線通信装置４は実施形態１の場合と同様に自己の制御用チャネルによる待ち受け状態にある移動機３０  からリンクチャネル確立要求ＳＣＣＨのコマンド信号が送信されてくると、上記リンクチャネル割り当てＳＣＣＨのコマンドを送信しタイムアウトを経過した基地局２１  …の内、最も経過時間が短い基地局をトラフィックテーブルの内容に基づいて選択する。もし全ての基地局２１  …から割り当て拒否が送信された場合には最もその時点からの経過時間の長い基地局を選択する。
【００２６】
上記一定時間（ｔ３  ）は、無線通信装置４が疑似通信要求を送信し、その結果として通信受け付け（リンクチャネル割り当て）、通信拒否（リンクチャネル拒否）を基に判断することができれば良く、これを満足できれば如何様な値でも良い。
尚無線通信装置４の構成は図１に示すものと同じであるから、ここでは図示及び説明を省略する。また基地局選択後の移動機３０  と無線通信装置４との間のシーケンス及び無線通信装置４と選択された基地局との間のシーケンスは実施形態１と同じであるからその説明を省略する。
【００２７】
（実施形態３）
上記実施形態２では疑似通信要求を無線通信装置４から基地局２１  …から送信するのに対して、本実施形態の無線通信装置４は自己の制御用チャネルにて待ち受け状態にある移動機３０  から図８に示すようにリンクチャネル確立要求ＳＣＣＨのコマンド信号が送信されてきたときのみ、監視対象である基地局２１  …全てに通信要求（リンクチャネル確立要求ＳＣＣＨ）のコマンド信号を送信し、一番早く通信受け付け（リンクチャネル割り当てＳＣＣＨ）のコマンド信号を送信してきた基地局を選択するようになっている。図８の場合では基地局２２  と以降の発呼シーケンスを継続する。尚無線通信装置４の構成は図１に示すものと同じであるから、ここでは図示及び説明を省略する。また選択後の移動機３０  と無線通信装置４との間のシーケンス及び無線通信装置４と選択された基地局との間のシーケンスは実施形態１と同じであるからその説明を省略する。
【００２８】
このように本実施形態の無線通信装置４では、予めトラフィック状態を監視してトラフィック状態に基づいて基地局を選択するのではなく、自己の制御用チャネルＣＣＨにて待ち受け状態のある移動機３０  から発呼があった場合に、全ての基地局２１  …に対して通信要求（リンクチャネル確立要求）を送信し、その結果から基地局を選択するものであって、本発明の目的である各基地局２１  …のトラフィックの平均化を図ることができる。
【００２９】
（実施形態４）
本実施形態では、監視対象の基地局２１  …が送信している制御信号（報知情報）にトラフィック状態を報知するデータを含ませ、本実施形態の無線通信装置４ではこのデータを受信監視することで、自己の制御用チャネルＣＣＨによって待ち受け状態の移動機３０  からリンクチャネル確立要求があった時点でのトラフィックを判断して、トラフィックの最も軽い基地局を選択し、該基地局に対して通信要求（リンクチャネル確立要求）を送信するようにしたものである。
【００３０】
図９は本実施形態において用いる報知情報の内容の例を示しており、この場合オクテット２で使用可能スロット数（ビット１乃至４）を示し、例えばビット１から４までが全て「０」の場合には使用可能スロット数が０、つまりフルトラフィック状態で使用不可というように、この４ビットで使用可能スロット数情報が送信される。
【００３１】
この送信された使用可能スロット数はＣＰＵ１６の制御の下で図１０に示すメモリ１５のトラフィックテーブルに図示するように各基地局２１  …毎に格納され、上述の基地局の選択の判断に用いられる。
尚無線通信装置４の構成は図１に示すものと同じであるから、ここでは図示及び説明を省略する。また選択後の移動機３０  と無線通信装置４との間のシーケンス及び無線通信装置４と選択された基地局との間のシーケンスは実施形態１と同じであるからその説明を省略する。
【００３２】
（実施形態５）
上記実施形態１乃至４では制御用チャネルＣＣＨを用いた基地局監視であったが、本実施形態は通信用チャネルＴＣＨをモニタすることにより各基地局２１  …のトラフィック状態を監視、判断するものである。
つまり本実施形態の無線通信装置４は図１１に示すように、通信用チャネルＴＣＨをモニタするためのアンテナ１０ｃ、無線回路ブロック１１ｃ及び無線回路制御ブロック１２ｃからなるモニタ用無線通信部１３ｃを追加し、各基地局２１  …の制御用チャネルＣＣＨ及び通信用チャネルＴＣＨを割り当てられているチャネルを図１２（ｄ）に示すように順次サイクリックに受信モニタするようになっている。
【００３３】
ここで基地局２１  では図１２（ａ）に示すようにスロット０を制御用チャネルＣＣＨに割り当て、通信用チャネルＴＣＨをスロット１に割り当て且つその送信チャネルを３３ｃｈとし、制御用チャネルＣＣＨは１００ｍｓｅ毎に送信され、スロット１を使用した３３ｃｈによる通信用チャネルＴＣＨの送信は終話するまで継続される。
【００３４】
同様に基地局２２  では図１２（ｂ）に示すようにスロット０，１，２に通信用チャネルＴＣＨを割り当て、各スロット０，１，２において使用する送信チャネルを４３，３８，６１とし、また制御用チャネルＣＣＨをスロット３に割り当てている。
また同様に基地局２Ｎ  では図１２（ｃ）に示すようにスロット３に通信用チャネルＴＣＨを割り当て、使用する送信チャネルを３４とし、また制御用チャネルＣＣＨをスロット１に割り当てている。
【００３５】
同様にして各基地局ではスロット０乃至３に制御用チャネルＣＣＨ、通信用チャネルＴＣＨを適宜割り当て、また通信用チャネルＴＣＨで使用する送信チャネルを使用可能なチャネルから選択して用いる。
一方本実施形態の無線通信装置４のモニタ用無線通信部１３ｃでは図１２（ｄ）に示すように５ｍｓｅｃ毎に、受信チャネル（通信用チャネルＴＣＨに使用される送信チャネルに対応）を切り換えてスロット０乃至３の状態をチェックする。又制御用チャネルＣＣＨを対基地局用無線通信部１３ａの受信により常時モニタしている。
【００３６】
而して無線通信装置４ではＣＰＵ１６がモニタ用無線通信部１３ｃの受信データを受け取り、例えば３３ｃｈをモニタする期間においてスロット２において受信があると、このスロット２が通信用チャネルＴＣＨに割り当てられていると判断するとともに、制御用チャネルＣＣＨの報知情報に基づいて送信している基地局が２１  であると判断し、メモリ１５に格納されている基地局使用候補テーブル（図１３に示す）の基地局２１  に対応するデータを更新する。この場合スロット０に対応して制御用チャネルＣＣＨに割り当てられ使用不可であることを書き込む。同様にスロット１に対応して通信用チャネルＴＣＨに割り当てられ使用不可であることを書き込む。更に残りのスロット２，３に対応して通信用チャネルＴＣＨ及び制御用チャネルＣＣＨが使用されていないこと、つまり使用可能であることを書き込む。
【００３７】
同様に、図１２（ｄ）に示すように３４ｃｈをモニタする期間でスロット３において受信があると、ＣＰＵ１６はスロット３が通信用チャネルＴＣＨに割り当てられると判断するとともに、このモニタ期間の前において受信された制御用チャネルＣＣＨの報知情報に基づいて送信している基地局が２Ｎ  であると判断する。よって無線通信装置４のＣＰＵ１６はメモリ１５に格納されている基地局使用候補テーブルの基地局２Ｎ  に対応するデータを更新する。この場合スロット３に対応して通信用チャネルＴＣＨが割り当てられ使用不可であることを書き込み、同様にスロット０に対応して制御用チャネルＣＣＨに割り当てられ使用不可であることを書き込み、残りのスロット１，２に対しては通信用チャネルＴＣＨ及び制御用チャネルＣＣＨが割り当てられていないため、使用可能であることを書き込む。
【００３８】
また例えば３８ｃｈをモニタする期間でスロット１において受信があると、ＣＰＵ１６はスロット２が通信用チャネルＴＣＨに割り当てられると判断するとともに、このモニタ期間或いはモニタ期間の前において受信された制御用チャネルＣＣＨの報知情報に基づいて送信している基地局が２２  であると判断する。よって無線通信装置４のＣＰＵ１６はメモリ１５に格納されている基地局使用候補テーブルの、基地局２２  に対応するデータを更新する。
【００３９】
この場合スロット１に対応して通信用チャネルＴＣＨが割り当てられ使用不可であることを書き込み、同様にスロット３に対応して制御用チャネルＣＣＨに割り当てられ使用不可であることを書き込み、残りのスロット１，２に対応しては通信用チャネルＴＣＨ及び制御用チャネルＣＣＨが割り当てられていないため、使用可能であることを書き込む。更に図１２（ｄ）に示すように例えば４２ｃｈをモニタする期間でスロット０において受信があると、ＣＰＵ１６はスロット０が通信用チャネルＴＣＨに割り当てられると判断するとともに、このモニタ期間或いはモニタ期間の前において受信された制御用チャネルＣＣＨの報知情報に基づいて送信している基地局が２２  であると判断する。よって無線通信装置４のＣＰＵ１６はメモリ１５に格納されている基地局使用候補テーブルの基地局２２  に対応するデータを更新する。この場合既にスロット１，３が不可であると書き込まれている内容に加えてスロット０に対応して通信用チャネルＴＣＨが割り当てられ使用不可であることを書き込んで更新する。そして更に６１ｃｈをモニタする期間でスロット２において受信があると、ＣＰＵ１６はスロット２が通信用チャネルＴＣＨに割り当てられると判断するとともに、このモニタ期間或いはモニタ期間の前において受信された制御用チャネルＣＣＨの報知情報に基づいて送信している基地局が２２  であると判断する。よって無線通信装置４のＣＰＵ１６はメモリ１５に格納されている基地局使用候補テーブルの基地局２２  に対応するデータを更新する。この場合既にスロット０，１が通信用チャネルＴＣＨが割り当てられ、またスロット３が制御用チャネルＣＣＨに割り当てられ夫々使用不可であると書き込まれている内容に加えてスロット２も使用不可であることを書き込んで更新する。この結果図１３に示すように基地局２２  は全スロットが使用不可であり、フルトラフィック状態であることが判る。
【００４０】
従って無線通信装置４では自己の制御用チャネルによる待ち受け状態の移動機３０  から発呼があった場合、ＣＰＵ１６は図１３のテーブル内容から基地局２１  …のトラフィック状態を判断してトラフィックが平均化するように基地局選択を行うのである。
つまり本実施形態では通信用チャネルをリアルタイムな状態でモニタすることによりトラフイィック状態の情報の精度が上記実施形態１乃至４に比べて高く、そのため精度良くトラフィックが平均化するように基地局の選択ができることになる。
【００４１】
尚上記各実施形態ではＰＨＳについて説明したが、本発明は、デジタルデータを用いて通信を行う移動通信システムに用いることができるの言うまでもなく、ＰＨＳに特に限定されるものではない。
【００４２】
【発明の効果】
請求項１の発明は、自己の制御用チャネルに対して待ち受けをしている移動機からの通信要求を周辺に設置されている各基地局に振り分ける手段と、これら基地局のトラフィック状態に応じてトラフィックが平均化するように上記振り分ける基地局を選択する手段とを備えたので、自己の制御用チャネルに対して待ち受けをしている移動機の基地局に対する通信が拒否される確率を下げることができるとともに、周辺の基地局のトラフィックを平均化することにより、基地局群の通話エリアのトラフィックの効率化、最適化が図れ、結果移動機の発着呼を確実にし、且つ通信エリアの拡大が図れるという効果がある。
【００４３】
請求項２の発明は、請求項１の発明において、各基地局の制御用チャネルに対して待ち受けをしている移動機から当該基地局に対する通信要求に対応して当該基地局から移動機に送信する通信要求の受け付けを示す信号及び受け付け拒否を示す信号をモニタすることにより各基地局のトラフィック状態を判断するので、周辺の基地局のトラフィック状態を判断するのに各基地局の制御用チャネルをモニタするだけで良く、そのためハードウェアの構成が簡単で、また基地局に無効な通信要求を与えないという効果がある。
【００４４】
請求項３の発明は、請求項１の発明において、各基地局に対して疑似的に通信要求の信号を一定時間毎に送信し、該通信要求に対して各基地局から送信される通信要求の受け付けを示す信号及び受け付け拒否を示す信号によって各基地局のトラフィック状態を監視するので、請求項２の発明に比べてトラフィック状態の判断を精度良くすることができるという効果がある。
【００４５】
請求項４の発明は、請求項１の発明において、自己の制御用チャネルに対して待ち受けしている移動機からの通信要求があると、該通信要求に対応して各基地局に通信要求を送信し、該通信要求に対して各基地局から送信される通信要求の受け付けを示す信号及び受け付けを拒否する信号によって各基地局のトラフィック状態を判断するので、トラフィック状態の判断をより精度良くすることができるという効果がある。
【００４６】
請求項５の発明は、請求項１の発明において、各基地局から制御用チャネルでトラフィック状態を示すデータを送信させ、該データを受信することにより各基地局のトラフィック状態を判断するので、周辺の基地局のトラフィック状態の判断をするのに、各基地局の制御用チャネルのモニタを監視するだけで良く、しかもデータを基地局から送らせるため得られるトラフィックの情報の精度が高いという効果がある。
【００４７】
請求項６の発明は、請求項１の発明において、各基地局と移動機との通信用チャネルを使用した通信中の状態をモニタし、該モニタ結果に基づいて各基地局のトラフィック状態を判断するので、通信用チャネルをリアルタイムな状態でモニタすることにより各基地局のトラフィック状態の判断がより一層精度良く行えるという効果がある。
【図面の簡単な説明】
【図１】本発明の実施形態１乃至３に用いる無線通信装置の回路構成図である。
【図２】本発明の実施形態１を説明するための制御用チャネルのタイミングチャートである。
【図３】同上のシーケンスを示す説明図である。
【図４】同上のシーケンスを示す説明図である。
【図５】同上のトラフィックテーブルの動作説明図である。
【図６】本発明の実施形態２のシーケンスを示す説明図である。
【図７】同上のトラフィックテーブルの動作説明図である。
【図８】本発明の実施形態３のシーケンスを示す説明図である。
【図９】同上の報知情報の説明図である。
【図１０】同上のトラフィックテーブルの動作説明図である。
【図１１】本発明の実施形態４の回路構成図である。
【図１２】同上の動作説明用タイミングチャートである。
【図１３】同上の候補テーブルの動作説明図である。
【図１４】従来例の構成図である。
【符号の説明】
２１  …２Ｎ          基地局
３０  …３Ｎ      移動機
４            無線通信装置
１０ａ，１０ｂ  アンテナ
１１ａ，１１ｂ    無線回路ブロック
１２ａ，１２ｂ    無線回路制御ブロック
１３ａ，１３ｂ    無線通信部
１４            メモリタイムスイッチング部
１５            メモリ
１６            ＣＰＵ
【図１】
0003570122.tif 000002
【図２】
0003570122.tif 000003
【図３】
0003570122.tif 000004
【図４】
0003570122.tif 000005
【図５】
0003570122.tif 000006
【図６】
0003570122.tif 000007
【図７】
0003570122.tif 000008
【図８】
0003570122.tif 000009
【図９】
0003570122.tif 000010
【図１０】
0003570122.tif 000011
【図１１】
0003570122.tif 000012
【図１２】
0003570122.tif 000013
【図１３】
0003570122.tif 000014
【図１４】
0003570122.tif 000015